(57)【要約】【課題】  内視鏡の洗滌又は消毒を行う際、作業者は、洗滌液又は消毒液の飛沫を浴びる等の虞がなく、洗滌等のための容器をセットでき、内視鏡の洗滌又は消毒が確実に行える内視鏡洗滌消毒装置を提供することを目的としている。【解決手段】  本発明の内視鏡洗滌消毒装置は、内視鏡を一回の洗滌処理又は消毒処理に使用する洗滌液又は消毒液を密閉状態で貯溜するためのカセット容器と、カセット容器を載置するためのカセット容器収納機構と、洗滌処理時又は消毒処理時にカセット容器収納機構に載置されたカセット容器内部の洗滌液又は消毒液を槽内へ流出させるためにカセット容器の外装を破壊するための外装破壊手段と、外装破壊手段によって流出する洗滌液又は消毒液をカセット容器内に残留させないための残留回避手段と、洗滌処理後又は消毒処理後にカセット容器及び内視鏡を濯ぐための濯ぎ手段とを具備する。【選択図】図１
2005192641.tif 000002
【特許請求の範囲】
【請求項１】
洗滌又は消毒をするための槽に洗滌液又は消毒液を供給して内視鏡を洗滌又は消毒する内視鏡洗滌消毒装置において、
前記内視鏡を一回の洗滌処理又は消毒処理に使用する前記洗滌液又は前記消毒液を密閉状態で貯溜するためのカセット容器と、
前記洗滌処理時又は前記消毒処理時に前記カセット容器を載置するためのカセット容器収納機構と、
該カセット容器収納機構に載置された前記カセット容器内部の前記洗滌処理時又は前記消毒処理時に前記洗滌液又は前記消毒液を前記槽内へ流出させるために前記カセット容器の外装を破壊するための外装破壊手段と、
前記外装破壊手段によって流出する前記洗滌液又は前記消毒液を前記カセット容器内に残留させないための残留回避手段と、
前記洗滌処理後又は前記消毒処理後に、前記カセット容器及び前記内視鏡を濯ぐための濯ぎ手段とを具備したことを特徴とする内視鏡洗滌消毒装置。
【請求項２】
前記カセット容器収納機構は、前記洗滌液を貯溜する前記カセット容器及び前記消毒液を貯溜する前記カセット容器を一体化するために２つの前記カセット容器を固定する固定手段を有し、
前記外装破壊手段は、前記固定手段によって一体化された２つの前記カセット容器の夫々を別々に破壊することを特徴とする請求項１記載の内視鏡洗滌消毒装置。
【請求項３】
前記カセット容器は、内部を隔壁により分けることによって中空の２つの室を有し、該２つの室内に前記洗滌液及び前記消毒液が夫々貯溜され、
前記外装破壊手段は、前記２つの室を夫々別々に破壊することを特徴とする請求項１記載の内視鏡洗滌消毒装置。
【請求項４】
前記カセット容器収納機構は、前記カセット容器を載置する載置部を有し、
前記載置部と前記カセット容器の底面との間には少なくとも所定の隙間が設けられていることを特徴とする請求項１から請求項３のいずれかに記載の内視鏡洗滌消毒装置。
【発明の詳細な説明】
【技術分野】
【０００１】
本発明は、内視鏡を洗滌又は消毒するための内視鏡洗滌消毒装置に関する。
【背景技術】
【０００２】
人体などの体腔内の検査及び治療等に広く使用されている内視鏡は、その使用後には必ず洗滌及び消毒する必要がある。そのため、内視鏡を洗滌又は消毒ができる内視鏡洗滌消毒装置が広く使用されている。
【０００３】
前記内視鏡洗滌消毒装置は、装置内部に希釈流体である例えば水と希釈された洗滌液又は消毒液の実用液を循環させることによって、汚染された内視鏡を洗滌又は消毒することができる。内視鏡を洗滌又は消毒する際に使用される洗滌液は、例えば、アルカリ性洗剤が使用され、消毒液は、例えば、過酢酸製剤が使用される。これらの洗滌剤のアルカリ性洗剤、消毒液の過酢酸製剤等は、人体に好ましくない影響を与えたり、刺激臭があったりするものである。
【０００４】
これらの人体に好ましくない影響を与えたり刺激臭があったりする洗滌液又は消毒液については、作業者が内視鏡の洗滌時又は消毒時に誤って人体に触れたり、これらの洗滌液又は消毒液の気化によって発生するこれらの気体が人体の呼吸器官等から体内に入り込んだり、作業者のいる室内に刺激臭が充満するなどの問題がある。そのため内視鏡の洗滌処理時又は消毒処理時に、これらの洗滌液又は消毒液が作業者等に影響を与えないための機能を有する内視鏡洗滌消毒装置が広く使用されている。また、内視鏡洗滌消毒装置の内部において水と希釈して洗滌液又は消毒液の実用液を生成する装置も、提案されている。例えば、特開平１１−２７６４３５号公報、特開平１１−１３７５０６号公報に開示の装置である。
【０００５】
特開平１１−２７６４３５号公報に示される内視鏡洗滌消毒装置は、数十回の洗滌処理に使用できる量の洗剤濃縮液が貯溜できる洗剤ボトルを内視鏡洗滌消毒装置内に具備する。この内視鏡洗滌消毒装置は、洗滌処理時において洗剤濃縮液を貯溜している洗剤ボトルから、洗滌処理に必要な所定の量の洗剤濃縮液を採取し、水と希釈して装置内部を循環する実用液を生成する。よって、この洗滌消毒装置内部の槽に設置された内視鏡は、これらの実用液が洗滌処理及び消毒処理の夫々の時に循環することにより洗滌される。
【０００６】
これに対して、特開平１１−１３７５０６号公報に示される内視鏡洗滌消毒装置では、内視鏡洗滌消毒装置において消毒液の実用液生成に使用される必要な量の濃縮された消毒液が密閉状態で貯溜されている消毒液ボトルが使用される。この消毒液ボトルは、ディスポーザブルのカートリッジ式の消毒液ボトルである。この消毒液ボトル内に貯溜される消毒液は、内視鏡洗滌消毒装置内において、水と希釈され内視鏡の消毒処理時に装置内部を循環するための実用液が生成される。よって、この内視鏡洗滌消毒装置は、作業者が内視鏡の消毒液の実用液生成時にカートリッジ式の消毒液ボトルを交換するだけで良い。
【０００７】
また、この内視鏡洗滌消毒装置は、取付けられたカートリッジ式の消毒液ボトル内部の濯ぎ機能も有する。よって、カートリッジ式の消毒液ボトルを取り外す際に、作業者は消毒液の飛沫を浴びることもなく、消毒液ボトル内に残留する消毒液による人体への影響を受けない。
【特許文献１】特開平１１−２７６４３５号公報
【特許文献２】特開平１１−１３７５０６号公報
【発明の開示】
【発明が解決しようとする課題】
【０００８】
しかし、特開平１１−２７６４３５号公報に示される内視鏡洗滌消毒装置は、夫々の洗滌液又は消毒液が貯溜される洗剤ボトルを装置内部の異なる所定の位置に設置する必要がある。そして、これらの洗滌液又は消毒液は、洗剤ボトル内の残量に応じて数十回の内視鏡の洗滌処理又は消毒処理に必要な量を夫々の洗剤ボトルに詰替える必要があり、作業者にとって煩わしい。さらに、その際に作業者の体に洗滌液又は消毒液が飛散して触れるなどの虞がある。さらにまた、内視鏡洗滌消毒装置は、洗滌処理及び消毒処理において、１回あたり使用される洗滌液及び消毒液を所定量採取し、生成される夫々の洗滌実用液又は消毒実用液の濃度を精度良く管理する必要がある。実用液濃度が適切な濃度でないと、内視鏡の洗滌又は消毒に使用される所定の洗滌液又は消毒液に対する耐薬品性から、内視鏡の故障の原因にもなり得る。
【０００９】
これに対して、特開平１１−１３７５０６号公報に示される内視鏡洗滌消毒装置は、内視鏡の消毒処理に応じた所定の液量の消毒液が密閉状態で貯溜されるカートリッジ式の消毒液ボトルによって、上述の濃度管理の問題を解決することができる。このカートリッジ式の消毒液ボトルの口部は、封止部材で封止されており、その消毒液ボトルを内視鏡洗滌消毒装置のコネクタ部に設けられる突起物がその封止部材を突き破ることにより消毒液ボトル内の消毒液は、コネクタ機構に供給される。しかし、この消毒液ボトルを作業者がコネクタ部に装着しなければならず、作業者は、消毒液ボトルをコネクタ部に装着する際に、この消毒液ボトル内に貯留される消毒液の飛沫を浴びたり、蒸発等による人体器官への吸込み等の虞がある。さらに、この内視鏡洗滌消毒装置は、消毒処理時に使用される消毒液のみカートリッジ式の消毒液ボトルを使用するだけであり、洗滌液については何ら考慮されていないものである。
【００１０】
よって、本発明は、これらの問題に鑑みて成されたものであって、内視鏡の洗滌又は消毒を行う際、作業者は、洗滌液又は消毒液の飛沫を浴びる等の虞がなく、洗滌等のための容器をセットでき、内視鏡の洗滌又は消毒が確実に行える内視鏡洗滌消毒装置を提供することを目的としている。
【課題を解決するための手段】
【００１１】
本発明の内視鏡洗滌消毒装置は、内視鏡を一回の洗滌処理又は消毒処理に使用する前記洗滌液又は前記消毒液を密閉状態で貯溜するためのカセット容器と、該カセット容器を載置するためのカセット容器収納機構と、前記洗滌処理時又は前記消毒処理時に前記カセット容器収納機構に載置された前記カセット容器内部の前記洗滌液又は前記消毒液を前記槽内へ流出させるために前記カセット容器の外装を破壊するための外装破壊手段と、前記外装破壊手段によって流出する前記洗滌液又は前記消毒液を前記カセット容器内に残留させないための残留回避手段と、前記洗滌処理後又は前記消毒処理後に前記カセット容器及び前記内視鏡を濯ぐための濯ぎ手段とを具備する。
【発明の効果】
【００１２】
本発明に係る内視鏡洗滌消毒装置によれば、内視鏡の洗滌又は消毒を行う際、作業者は、洗滌液又は消毒液の飛沫を浴びる等の虞がなく洗滌等のための容器をセットでき、内視鏡の洗滌又は消毒を確実に行える内視鏡洗滌消毒装置を実現することができる。
【発明を実施するための最良の形態】
【００１３】
（第１の実施の形態）
図１は本実施形態に係る内視鏡洗滌消毒装置７０の概略構成を示している。  
この内視鏡洗滌消毒装置７０は、図示しない操作パネルと、内視鏡を洗滌又は消毒するための槽（以下、洗滌槽という。）２と、この洗滌槽２の上部に設けられる図示しない装置トップカバーとを有しており、この洗滌槽２の内部に内視鏡１を設置して洗滌又は消毒することができるようになっている。
【００１４】
図１に示すように、洗滌槽２の内部の壁面には、内視鏡洗滌消毒装置７０の内部を循環する循環液の水位を検知するための水位検知センサ３が設けられている。この水位検知センサ３からの検知信号は、図示しない制御回路を有する制御装置に出力される。
【００１５】
希釈流体としての、水道水を供給するための蛇口４と洗滌槽２の上縁側に設けられるノズル９は、給水用管路５により連通し、この給水用管路５の間には、蛇口４側から順に水道水等の給水又は停止する電磁弁の給水弁６と、水道水をろ過する給水フィルタ７と、内部の管路を２方向へ切り分ける３方向弁８とが介装されている。給水弁６と３方向弁８は、図示しない制御回路の制御信号により内部の弁が開閉制御される。よって、蛇口４からの水道水は、給水弁６の内部の弁が開くことにより、給水フィルタ７によってろ過され、給水用管路５を通ってノズル９から洗滌槽２の内部に供給される。また、ノズル９は、３方向弁８に接続される流液洗滌消毒用管路１０を介して、洗滌槽２の底面に設けられる循環液吸引口１１にも連通している。
【００１６】
循環液吸引口１１と３方向弁８の間には流液洗滌消毒用ポンプ３２が設けられている。この流液洗滌消毒用ポンプ３２は、循環液吸引口１１へ流れ込む循環液を吸引し、ノズル９側の流液洗滌消毒用管路１０に送り込む。
【００１７】
循環液吸引口１１と流液洗滌消毒用ポンプ３２の間の流液洗滌消毒用管路１０には、内視鏡洗滌消毒用管路１３が接続されている。この内視鏡洗滌消毒用管路１３の、流液洗滌消毒用管路１０と接続される端部と反対の端部は、チャンネルブロック１５と接続され、内視鏡洗滌消毒用管路１３には、流液洗滌消毒用管路１０側からチャンネルブロック１５へ順に内視鏡洗滌消毒用ポンプ１２と、循環液エアー逆止弁１４とが介装されている。この内視鏡洗滌消毒用ポンプ１２は、洗滌槽２に溜まっている循環液体を循環液吸引口１１から吸引し、チャンネルブロック１５側の内視鏡洗滌消毒用管路１３に送り出す。また、循環液エアー逆止弁１４は、内視鏡洗滌消毒用管路１３の内部を循環する循環液の逆流を防ぐものである。
【００１８】
チャンネルブロック１５と洗滌槽２の壁面に設けられる２つの洗滌消毒チューブ接続口１６とは、途中で２つの管路に分岐するＹ管路３３によって接続されている。このＹ管路３３の分岐している部分とチャンネルブロック１５の間には、制御装置によって開閉制御される循環液用電磁弁１７が設けられる。
【００１９】
Ｙ管路３３の分岐された洗滌槽２側の２つの開口部は、夫々に接続される２つの洗滌消毒チューブ接続口１６を介して２つの内視鏡管路洗滌消毒用チューブ１８と夫々連通している。これら、２つの内視鏡管路洗滌消毒用チューブ１８の洗滌消毒チューブ接続口１６と接続している端部と反対側の開口端は、内視鏡１に設けられている各種チャンネル、例えば送気送水管路等の2つの管路に接続される。
【００２０】
また、チャンネルブロック１５は、圧縮流体源のコンプレッサ２０ともエアー供給管路２１を介して連通している。チャンネルブロック１５とコンプレッサ２０、の間にはエアー供給管路２１に設けられる圧縮空気が逆流しないためのエアー逆止弁１９が設けられている。さらに、チャンネルブロック１５は、リリーフ管路２２と接続され、洗滌槽２と連通している。
【００２１】
リリーフ管路２２には、過剰の圧力の循環液又は圧縮空気が内視鏡１の各管路に送られないようにするためにリリーフ弁２３が設けられ、リリーフ管路２２の一端は洗滌槽２で開口して連通している。つまり、リリーフ管路２２は、所定の圧力の循環液又は圧縮空気が内視鏡１の各管路に送られるように、過剰な圧力の流体を逃がすための管路である。
【００２２】
また、チャンネルブロック１５には、内部の圧力を随時モニタリングする圧力センサ２４が設けられ、その圧力センサ２４の出力信号によってリリーフ弁２３を制御するために、圧力センサ２４の検出信号は、制御装置に出力される。よって、内視鏡１の各種管路に送られる循環液又は圧縮空気の圧力は、リリーフ弁２３が制御装置からの制御信号により内部の弁の調整を行うことによって、所定の圧力を保たれる。
【００２３】
以上のように、内視鏡洗滌消毒装置７０の内部を循環する循環液は、循環液吸引口１１より吸引され、流液洗滌消毒用管路１０、内視鏡洗滌消毒用管路１３及び、チャンネルブロック１５を通り、Ｙ管路３３によって分けられて、内視鏡１へ２つの内視鏡管路洗滌消毒用チューブ１８を通って内視鏡１の各管路の開口端から送り込まれる。循環液は、内視鏡１の各管路を通って内視鏡１の他端から洗滌槽２内へ排出される。さらに、循環液は、チャンネルブロック１５に接続されたリリーフ管路２２の開口端から洗滌槽２に供給される。こうして、循環液は、この内視鏡洗滌消毒装置７０において循環される。
【００２４】
洗滌槽２の底面に設けられる排水口２５は、外部に開放される排水管路２６ａと接続されている。この排水管路２６ａは、排水口２５側から順に、制御装置により制御される排水弁２６と、排水ポンプ２７と設けられている。よって、洗滌槽２に供給される循環液は、排水弁２６の弁を開くことによって、排水口２５から、排水管路２６ａを通って内視鏡洗滌消毒装置７０の外部に排出される。
【００２５】
さらに、洗滌槽２の壁面には、カセット容器２９と、そのカセット容器２９を載置して収納するためのカセット容器収納機構２８が設けられている。
【００２６】
図２は、前記カセット容器収納機構２８を説明するための図である。  
カセット容器収納機構２８は、洗滌槽２の壁面に対して、略矩形の凹部形状を有する。その凹部の鉛直方向の底面部には、カセット容器２９が載置されるカセット容器載置部２８ａが形成されている。その底面部には、２つの溝部２８ｂ、２８ｃが、底面に対向する上面部には、２つの溝部２８ｄ、２８ｅ（以下、これら４つをまとめて溝部２８Ｂということもある。）が形成されている。これらの溝部２８Ｂの夫々には、に少なくとも１つのソレノイドが設けられる。本実施形態では４つのソレノイド３０Ｂ、３０Ｃ、３０Ｄ、３０Ｅ（以下、まとめてソレノイド３０ということもある。）が設けられている。これらの４つの溝部２８Ｂは、夫々洗滌槽２の壁面の開口部から奥に向かって延びるように形成されている。さらに、底面であるカセット容器載置部２８ａ側に設けられる２つの溝部２８ｂ、２８ｃは、奥側から洗滌槽２の壁面に向かって洗滌槽２の下方に傾斜している。
【００２７】
さらに、４つの溝部２８Ｂには、夫々孔を有する少なくとも１つの円筒状の開口部３４が設けられている。これらの開口部３４の機能については後述する。  
また、カセット容器収納機構２８において、洗滌槽２の壁面の開口部から見て、すなわちカセット容器収納機構２８の開口面側から見て一つの角には、開口部から奥に向かって面取りされている面取部２８ｆが設けられている。
【００２８】
図３は、洗滌液又は消毒液の入ったカセット容器２９を説明するための図である。  
カセット容器２９は、洗滌液が貯留される洗滌液カセット容器２９ａと、消毒液が貯留される消毒液カセット容器２９ｂと、これら２つの洗滌液カセット容器２９ａと消毒液カセット容器２９ｂを一体化するバンド２９ｃとから構成される。よって、洗滌液カセット容器２９ａと消毒液カセット容器２９ｂとが、１つのカセット容器２９を構成する。
【００２９】
洗滌液カセット容器２９ａ及び消毒液カセット容器２９ｂは、夫々カセット容器収納機構２８の面取部２８ｆと同じ角度に１つの角が面取りされている容器面取部２９ｃを有する中空の多角柱形状である。よって、面取部２８ｆと容器面取部２９ｃとが合うようにしてカセット容器２９がカセット容器収納機構２８に収納されるので、このカセット容器２９は、カセット容器収納機構２８のカセット容器載置部２８ａに載置できる向きが一意に決められる。
【００３０】
図４は、カセット容器収納機構２８の夫々の溝部２８ｂに設けられる容器の外装を破壊するための外装破壊手段を説明するための図である。  
外装破壊手段を構成する容器破壊機構６０は、カセット容器収納機構２８の４つの溝部２８Ｂの開口部３４に設けられるソレノイド３０と、ソレノイド３０と接続された針部３１とにより構成される。
【００３１】
ソレノイド３０は、内部に永久磁石が設けられているコイル部３０ａと、コイル部３０ａ内で移動するソレノイド軸３０ｂとを有する。このソレノイド軸３０ｂのコイル部３０ａ側と反対側の端部には、フランジ３０ｃが設けられている。コイル部３０ａとフランジ３０ｃとの間にソレノイド軸３０ｂが挿設されて、バネ３０ｄが挟装されている。このソレノイド３０は、制御装置の制御信号によって制御される。
【００３２】
ソレノイド３０は、例えば自己保持型のキープソレノイドであり、コイル部３０ａに電流が流れていないときは、ソレノイド軸３０ｂは永久磁石の力でコイル部３０ａ内に吸引され、そのまま吸着保持しており、逆にコイル部３０ａに電流が流されるとソレノイド軸３０ｂは開放され、コイル部３０ａ内から突出する。
【００３３】
フランジ３０ｃは、カセット容器収納機構２８の４つの溝部２８Ｂの円筒な開口部３４の外周面とほぼ同一若しくはそれ以上の径を有する。よって、ソレノイド軸３０ｂは、突出しても、ソレノイド軸３０ｂに設けられるフランジ３０ｃが、開口部３４のソレノイド３０側の開口端部で停止されるので、それ以上は突出しない。
【００３４】
針部３１は、ソレノイド３０のフランジ３０ｃに接続され固定された円柱の形状の胴体部３１ｃと、フランジ３０ｃとの接続側と反対側に設けられた円錐状の針先端部３１ａと、針先端部３１ａとフランジ３０ｃとの間の胴体部３１ｃの途中に設けられるＯリング３１ｂとによって構成される。
【００３５】
針先端部３１ａは、ソレノイド３０のソレノイド軸３０ｂがコイル部３０ａの内部に吸引されている時、円筒状の開口部３４の内部に収納されている。また、コイル部３０ａに電流が流されて、ソレノイド軸３０ｂが突出した時、針部３１は、針先端部３１ａがカセット容器載置部２８ａの底面よりカセット容器収納機構２８の内側に、それもカセット容器２９の外装を突き破る程度に突出できる長さを有するものである。
【００３６】
Ｏリング３１ｂは、円筒状の開口部３４の内周面とソレノイド３０の円柱形状の胴体部３１ｃとを水密を保つためのものである。Ｏリング３１ｂは、弾性変形して開口部３４の内周面に密着し、ソレノイド３０の作動によってソレノイド軸３０ｂと接続される針部３１が軸方向に摺動を行っても、カセット容器収納機構２８の凹部の内側空間と、外側空間とを水密に保つ。このことから、洗滌槽２のカセット容器収納機構２８とソレノイド３０のコイル部３０ａとは、水密が保たれる。
【００３７】
以上のように、ソレノイド３０への電流供給が停止しても、ソレノイド軸３０ｂはコイル部３０ａ内に収納されたままとなっており、針先端部３１ａは開口部３４内に収納されたままになる。また、ソレノイド３０へ、電流を流すことによって、吸引されているソレノイド軸３０ｂは開放され、ソレノイド軸３０ｂに挿設されるバネ３０ｄの弾性反発力を利用して、ソレノイド３０は、軸方向にソレノイド軸３０ｂを開口部３４側に突出する。この突出したソレノイド軸３０ｂは、フランジ３０ｃが開口部３４のソレノイド３０側の開口端に当接することによって、停止する。
【００３８】
その結果、フランジ３０ｃに接続された針部３１の針先端部３１ａは、開口部３４の円筒内部を摺動し、カセット容器収納機構２８の溝部２８ｂの表面から突起する。
【００３９】
次に本実施の形態の内視鏡洗滌消毒装置７０の動作について説明する。  
まず、洗滌液カセット容器２９ａと消毒液カセット容器２９ｂがバンド２９ｃによって一体化されたカセット容器２９を洗滌槽２の壁面のカセット容器収納機構２８のカセット容器載置部２８ａに載置される。
【００４０】
この時、カセット容器収納機構２８の向きは、面取部２８ｆとカセット容器２９の容器面取部２９ｃを合わせるようにしないと物理的に載置できないため、カセット容器２９を左右を間違えて逆に入れられることはない。
【００４１】
その後、内視鏡１は、洗滌槽２の所定の位置に設置され、２つの内視鏡管路洗滌消毒用チューブ１８の夫々の開口端を内視鏡１の送気送水管路等に、他端を２つの洗滌消毒チューブ接続口１６に接続し、装置トップカバーが閉られる。その際、制御装置により制御される各種弁などは、所定の状態で停止している。
【００４２】
内視鏡洗滌消毒装置７０の操作パネルに設けられた各種操作スイッチの操作に伴い洗滌工程、消毒工程、除水工程及び濯ぎ工程が所定の順序で行われる。
【００４３】
図５は、本実施の形態の内視鏡洗滌消毒装置７０の洗滌工程、消毒工程、除水工程及び濯ぎ工程のフローチャート図である。内視鏡洗滌消毒装置７０による内視鏡１の洗滌又は消毒は、図５のフローチャートに示す工程の順序で行われる。
【００４４】
まず、本実施の形態の図５に示すステップＳ１である洗滌工程が実行される。  
操作パネルに設けられるステップＳ１である洗滌工程用の操作スイッチが、内視鏡１の洗滌消毒作業者（以下、作業者という。）によって操作されると、内視鏡洗滌消毒装置７０は内視鏡１の洗滌工程Ｓ１を開始する。初めに、制御装置からの閉信号が排水弁２６へ供給され、排水弁２６は、その弁を閉じる。
【００４５】
次に、洗滌槽２の壁面のカセット容器収納機構２８に設けられた４つのソレノイド３０の内、洗滌液カセット容器２９ａが載置されている側の上下２つのソレノイド３０Ｃ、３０Ｅに制御装置からの制御信号に応じてソレノイド３０に電流が供給される。
【００４６】
その結果、この２つのソレノイド３０Ｃ、３０Ｅのコイル部３０ａは、夫々ソレノイド軸３０ｂを開放し、バネ３０ｄの反発力に対向してフランジ３０ｃに接続された針部３１は、カセット容器収納機構２８の上下において洗滌液カセット容器２９ａの外装の壁を突き破り、その容器の内側に突出する。
【００４７】
すなわち、突出された針部３１の針先端部３１ａは、カセット容器収納機構２８に載置されるカセット容器２９の洗滌液カセット容器２９ａの上面及び底面の外装に突き刺さる。
【００４８】
次に、２つのソレノイド３０Ｃ、３０Ｅに制御装置からの制御信号に応じて電流の供給が停止すると、夫々のコイル部３０ａはソレノイド軸３０ｂを夫々吸引する。よって、接続される洗滌液カセット容器２９ａの上面及び底面の外装に突き刺さった針部３１もソレノイド３０の開口部３４内に夫々収納され、洗滌液カセット容器２９ａの上面と底面に２つの孔が空いた状態となる。
【００４９】
こうして、洗滌液カセット容器２９ａは、針部３１の針先端部３１ａによって空けられた孔により、その内部は空気と洗滌液がスムーズに入れ替わる状態となり、洗滌液がカセット容器収納機構２８のカセット容器載置部２８ａの溝部２８ｃに流れ落ちる。洗滌液カセット容器２９ａの上面及び底面の両方に設けられた孔が、洗滌液カセット容器２９ａ内に洗滌液等の液体を残留させないための残留回避手段を構成する。
【００５０】
また、この溝部２８ｃは、奥側から洗滌槽２の壁面に向かって洗滌槽２の下方に傾斜しているため、流れ落ちた洗滌液は、滑らかに洗滌槽２の壁面等を伝って、カセット容器収納機構２８の開口部の真下であって、洗滌槽２の底面に設けられた循環液吸引口１１に内視鏡１に触れることなく流れ込む。
【００５１】
次に、所定の時間が経過後、制御装置からの開信号により給水弁６が開き、蛇口４からの希釈のための水である、水道水は、給水フィルタ７を通り、制御装置の制御信号に基づいて３方向弁８が流液洗滌消毒用管路１０側を閉じることによって、ノズル９から洗滌槽２の内部に供給される。洗滌槽２の内部の水位が所定の量に供給されたことを水位検知センサ３が検知すると、制御装置からの閉信号によって、給水弁６は、その内部の弁を閉じる。よって、ノズル９から洗滌槽２へ供給される水道水が停止される。
【００５２】
次に、制御装置からの切替信号によって、３方向弁８は、内部の弁を流液洗滌消毒用管路１０とノズル９が連通するように切替える。ノズル９と流液洗滌消毒用管路１０とが連通すると、制御装置は、作動信号を流液洗滌消毒用ポンプ３２に供給し、流液洗滌消毒用ポンプ３２が作動を開始する。洗滌槽２の水道水と洗滌液の混合液は、循環液吸引口１１から吸引され、流液洗滌消毒用管路１０を通ってノズル９から洗滌槽２に供給される。流液洗滌消毒用ポンプ３２が作動することによって、水道水と洗滌液は均一に混合され、洗滌実用液が生成される。このとき、ノズル９から吐き出される洗滌液と水道水の混合する混合液は、洗滌槽２内の内視鏡１に叩き付けながら、かつ洗滌槽２内を環流する。よって、水道水と洗滌液は、均一に混合された循環液である洗滌実用液が生成される。
【００５３】
さらに、制御装置は、内視鏡洗滌消毒用ポンプ１２に作動信号を供給し、内視鏡洗滌消毒用ポンプ１２が始動され、また、制御装置は、循環液用電磁弁１７に開信号を供給し、循環液用電磁弁１７の内部の弁が開かれる。
【００５４】
その結果、洗滌実用液は、高速水流となって、内視鏡洗滌消毒用管路１３を通って、循環液エアー逆止弁１４及びチャンネルブロック１５を経由し、チャンネルブロック１５と循環液用電磁弁１７と接続されるＹ管路３３とを通り、洗滌消毒チューブ接続口１６を経由し、内視鏡管路洗滌消毒用チューブ１８から内視鏡１の各管路に供給され、最後に各管路の開口部から洗滌槽２に放出される。
【００５５】
この洗滌実用液は、再度、循環液吸引口１１から吸引され、流液洗滌消毒用管路１０を経由し、ノズル９へと向かう経路で内視鏡洗滌消毒装置７０内の各管路内にも循環する。
【００５６】
つまり、以上の循環する洗滌実用液によって、内視鏡１の外部の表面は、流液洗滌消毒用ポンプ３２の作動によって、ノズル９からの叩き付け、循環する洗滌実用液により洗滌される。また、内視鏡１内の各管路は、内視鏡洗滌消毒用ポンプ１２の作動による高速に流れる洗滌実用液により洗滌される。
【００５７】
さらに、このステップＳ１の洗滌工程の間、圧力センサ２４は、チャンネルブロック１５の内部が所定の圧力を維持できるように随時モニタリングし、その検出センサ信号を制御装置に供給している。例えば、チャンネルブロック１５の内部が所定の圧力以上の洗滌実用液が供給されると、圧力センサ２４からの検出センサ信号に基づいて、制御装置は、リリーフ弁２３に開信号を供給し、リリーフ弁２３の内部の弁が開かれる。よって、所定の圧力以上の洗滌実用液が、内視鏡１の各管路に供給されることはない。次に、チャンネルブロック１５の内部が所定の圧力に戻ると、圧力センサ２４の検知センサ信号に基づいて、制御装置は、リリーフ弁２３に閉信号を供給し、そのリリーフ弁２３の内部の弁が閉じられる。
【００５８】
このステップＳ１の洗滌工程は、所定の時間の間、実施される。また、洗滌工程終了後に、流液洗滌消毒用ポンプ３２と内視鏡洗滌消毒用ポンプ１２は、制御装置から停止制御信号が供給され夫々停止する。以上によって、内視鏡１の洗滌工程が終了し、次に洗滌後の濯ぎ工程が開始される。
【００５９】
次に、本実施の形態におけるステップＳ２である濯ぎ工程について説明する。
【００６０】
ステップＳ１の洗滌工程が終了すると制御装置は、開信号を排水弁２６に供給し、その排水弁２６の内部の弁が開かれる。
【００６１】
そして、制御装置は、排水ポンプ２７に作動信号を供給し、その排水ポンプ２７が始動され、洗滌槽２内の洗滌実用液が外部に排出される。このとき、流液洗滌消毒用ポンプ３２と内視鏡洗滌消毒用ポンプ１２も制御装置からの作動信号が供給され、同時に始動される。よって、内視鏡管路洗滌消毒用チューブ１８に接続される内視鏡１の各管路及び内視鏡洗滌消毒装置７０の各管路に残留している洗滌実用液が外部に排出される。
【００６２】
次に、制御装置は、３方向弁８に切替信号を供給し、その３方向弁８の内部の弁はノズル９と蛇口４が連通するように切替えられる。給水弁６には、制御装置から開信号が供給され、その内部の弁が開くことにより蛇口４から水道水の濯ぎ水が洗滌槽２内に供給される。洗滌槽２の壁面に設けられるカセット容器収納機構２８のカセット容器載置部２８ａに設けられる溝部２８ｃの表面は、洗滌液カセット容器２９ａの底面の外装に空けられた孔と隙間が空いている状態である。また、洗滌液カセット容器２９ａの上部側のカセット容器収納機構２８の内面には、溝部２８ｅが設けられているので、その溝部２８ｅと洗滌液カセット容器２９ａの上面の外装に空けられた孔と隙間が空いている状態である。そのため、洗滌液カセット容器２９ａの上面の孔が溝部２８ｅの表面によって塞がれることなく、その上面の孔より容易に空気が抜け、洗滌槽２内に供給される濯ぎ水は、その水位上昇と共に洗滌液カセット容器２９ａ底面の外装の孔から容易に内部に流入される。よって、洗滌液カセット容器２９ａは、その上面の孔より容易に空気が抜け、洗滌槽２内に供給される濯ぎ水の水位の上昇と共に、その内部は水道水の濯ぎ水で満たされる。
【００６３】
給水時間が経過し、洗滌槽２内の水位検知センサ３は、濯ぎ水が所定の水位になったら、制御装置に検知信号を供給する。この検知信号が供給された制御装置は、内視鏡洗滌消毒用ポンプ１２と流液洗滌消毒用ポンプ３２に作動信号を供給し、夫々が始動される。
【００６４】
よって、ステップＳ１の洗滌工程と同じように、濯ぎ水が内視鏡洗滌消毒装置７０内に設けられた各管路、内視鏡１の各管路、洗滌液カセット容器２９ａの内部及び洗滌槽２を循環する。その結果、内視鏡１の各管路内と外表面及び洗滌液カセット容器２９ａの内部は濯がれる。
【００６５】
所定の濯ぎ工程時間において、濯ぎ水は、内視鏡洗滌消毒装置７０内部において循環され、その時間が経過後に制御装置による開信号が排水弁２６に供給され、その弁が開かれる。また、排水ポンプ２７には、制御装置の作動信号が供給され、始動することにより洗滌槽２内の濯ぎ水が外部に排出される。さらに、この間において洗滌工程と同様に流液洗滌消毒用ポンプ３２と内視鏡洗滌消毒用ポンプ１２も同時に連続して作動され、内視鏡１の各管路及び内視鏡洗滌消毒装置７０内の管路等に残留している濯ぎ水も排出される。
【００６６】
その際、洗滌液カセット容器２９ａの内部の濯ぎ水は、洗滌槽２内の濯ぎ水の水位の下降と共に洗滌液カセット容器２９ａの底面の外装に設けられた孔から溝部２８ｃに流出する。溝部２８ｃは、カセット容器収納機構２８の開口部に向かって洗滌槽２側に傾斜しているので、洗滌液カセット容器２９ａの内部の濯ぎ水は、この溝部２８ｃを伝わって容易に洗滌槽２内に放出される。また、ステップＳ１の洗滌工程と同様にして、チャンネルブロック１５の内部は、圧力センサ２４によって、随時モニタリングされている。よって、内視鏡１の各管路を通る濯ぎ水も所定の圧力が保持されている。
【００６７】
次に、本実施の形態におけるステップＳ３である除水工程について説明する。  
制御装置は、コンプレッサ２０に作動信号を供給し、コンプレッサ２０が始動する。コンプレッサ２０からの圧縮空気はエアー供給管路２１内に吐出され、エアー逆止弁１９、チャンネルブロック１５及び循環液用電磁弁１７を通って、洗滌消毒チューブ接続口１６から内視鏡管路洗滌消毒用チューブ１８を通り、内視鏡１の各管路内に供給される。よって、内視鏡１の各管路及び内視鏡洗滌消毒装置７０の各管路内等の除水が行われる。
【００６８】
このコンプレッサ２０の作動中も、排水弁２６は開いた状態であり、排水ポンプ２７は、ステップＳ２である濯ぎ工程からそのまま連続して作動している。よって、洗滌槽２内に放出された濯ぎ水は外部に排出される。また、ステップＳ３である除水工程においても、ステップＳ１の洗滌工程及びステップＳ２の濯ぎ工程と同様にして、チャンネルブロック１５の内部は、圧力センサ２４によって、随時モニタリングされている。よって、内視鏡１の各管路を通る圧縮空気も所定の圧力が保持されている。
【００６９】
所定の時間の間、上記作動は行われ、その終了後に、制御装置は、コンプレッサ２０等に夫々の停止信号を供給する。よって、コンプレッサ２０等は、停止され洗滌後のステップＳ２の濯ぎ工程が終了する。
【００７０】
次に、本実施の形態におけるステップＳ４である消毒工程について説明する。  
なお、本ステップＳ４である消毒工程において、上述の洗滌工程Ｓ１と同様の動作内容については、詳細な説明を省略する。
【００７１】
まず、操作パネルに設けられるステップＳ４の消毒工程用の操作スイッチが、作業者によって操作されると、内視鏡洗滌消毒装置７０は内視鏡１の消毒工程を開始する。初めに、制御装置からの閉信号が排水弁２６へ供給され、排水弁２６は、その弁を閉じる。
【００７２】
次に、カセット容器収納機構２８に設けられた４つのソレノイド３０の内、消毒液カセット容器２９ｂが載置されている側の上下２つのソレノイド３０Ｂ、３０ｄに制御装置からの制御信号に応じて電流が供給され、その結果、上述したステップＳ１の洗滌工程の場合と同様にソレノイド３０Ｂ、３０ｄが作動して、針部３１の針先端部３１ａによって、消毒液カセット容器２９ｂの上面及び底面の外装に孔が開けられる。その結果、洗滌工程Ｓ１の洗滌液の場合と同様にして、消毒液カセット容器２９ｂの内部に貯留される消毒液は、カセット容器収納機構２８のカセット容器載置部２８ａの溝部２８ｂに流れ落ち、循環液吸引口１１内に流れ込む。よって、ステップＳ１の洗滌液と同様に消毒液は、内視鏡１に触れることなく循環液吸引口１１に流れ込む。
【００７３】
そして、洗滌工程Ｓ１の場合における洗滌液に代えて、消毒液が循環するように、洗滌工程Ｓ１と同様にポンプ及び各種弁を制御することによって、内視鏡１の消毒が行われる。
【００７４】
簡単に説明すると、所定の時間が経過後、制御装置からの開信号により給水弁６が開き、制御装置の制御信号に基づいて、３方向弁８が流液洗滌消毒用管路１０側を閉じることによって、水道水は、ノズル９から洗滌槽２の内部に供給される。そして、洗滌槽２が所定の水位になると、制御装置からの閉信号によって、洗滌槽２の内部へ水道水の供給が停止される。
【００７５】
次に、制御装置からの切替信号によって、３方向弁８は、内部の弁を流液洗滌消毒用管路１０とノズル９が連通するように切替える。流液洗滌消毒用ポンプ３２が作動し、洗滌槽２の水道水と消毒液の混合液は、循環液吸引口１１から吸引され、流液洗滌消毒用管路１０を通ってノズル９から洗滌槽２に供給されることによって、水道水と消毒液は均一に混合され、消毒実用液が生成される。
【００７６】
さらに、制御装置は、内視鏡洗滌消毒用ポンプ１２に作動信号を供給し、内視鏡洗滌消毒用ポンプ１２が始動され、循環液用電磁弁１７の内部の弁が開かれる。その結果、消毒実用液は、高速水流となって、内視鏡洗滌消毒用管路１３を通って、循環液エアー逆止弁１４及びチャンネルブロック１５を経由し、チャンネルブロック１５と循環液用電磁弁１７と接続されるＹ管路３３とを通り、洗滌消毒チューブ接続口１６を経由し、内視鏡管路洗滌消毒用チューブ１８から内視鏡１の各管路に供給され、最後に各管路の開口部から洗滌槽２に放出される。
【００７７】
この消毒実用液は、再度、循環液吸引口１１から吸引され、流液洗滌消毒用管路１０を経由し、ノズル９へと向かう経路で内視鏡洗滌消毒装置７０内の各管路内にも循環する。
【００７８】
つまり、以上の循環する消毒実用液によって、内視鏡１の外部の表面は、流液洗滌消毒用ポンプ３２の作動によって、ノズル９からの叩き付け、循環する洗滌実用液により洗滌される。また、また、このステップＳ１の洗滌工程と同様に、消毒工程においても、圧力センサ２４は、チャンネルブロック１５の内部が所定の圧力を維持できるように随時モニタリングし、その検出センサ信号を制御装置に供給し、所定の圧力以上の消毒実用液が、内視鏡１の各管路に供給されることはない。
【００７９】
また、ステップＳ１の洗滌工程の洗滌実用液と同様にして、消毒実用液は、洗滌槽２の壁面のカセット容器収納機構２８の溝部２８ｂ、２８ｄから消毒液カセット容器２９ｂの上下に開けられた孔を通って、容器内部においても循環する。
【００８０】
この消毒工程もまた、所定の消毒工程時間、実施される。また、消毒工程終了後に、流液洗滌消毒用ポンプ３２と内視鏡洗滌消毒用ポンプは、制御装置から停止制御信号が供給され夫々が停止する。以上によって、内視鏡１の消毒工程が終了する。
【００８１】
よって、以上の循環する消毒実用液によって、内視鏡１の外部の表面及び内視鏡１の各管路は、消毒される。内視鏡１のステップＳ４の消毒工程が終了すると、次に消毒工程後の濯ぎ工程が開始される。
【００８２】
次に、第１の実施の形態によるステップＳ５である消毒工程後の濯ぎ工程について説明する。  
本消毒工程後のステップＳ５である濯ぎ工程においても、前述のステップＳ１である洗滌工程後のステップＳ２の濯ぎ工程と同じように、弁、ポンプが制御されるので、動作の詳細については省略する。
【００８３】
簡単に説明すると、ステップＳ４の消毒工程が終了すると制御装置は、開信号を排水弁２６に供給し、その排水弁２６の内部の弁が開き、排水ポンプ２７が作動して、洗滌槽２内の洗滌実用液が外部に排出される。このとき、流液洗滌消毒用ポンプ３２と内視鏡洗滌消毒用ポンプ１２も制御装置からの作動信号が供給され、同時に始動される。よって、内視鏡管路洗滌消毒用チューブ１８に接続される内視鏡１の各管路及び内視鏡洗滌消毒装置７０の各管路に残留している洗滌実用液が外部に排出される。
【００８４】
次に、制御装置は、３方向弁８に切替信号を供給し、その３方向弁８の内部の弁はノズル９と蛇口４が連通するように切替えられ、かつ、給水弁６が開くことにより蛇口４から水道水の濯ぎ水が洗滌槽２内に供給される。洗滌槽２の壁面に設けられるカセット容器収納機構２８のカセット容器載置部２８ａに設けられる溝部２８ｂの表面は、消毒液カセット容器２９ｂの底面の外装に空けられた孔と隙間が空いている状態である。また、消毒液カセット容器２９ｂの上部側のカセット容器収納機構２８の内面には、溝部２８ｄが設けられているので、その溝部２８ｄと洗滌液カセット容器２９ａの上面の外装に空けられた孔と隙間が空いている状態である。そのため、消毒液カセット容器２９ｂの上面の孔が溝部２８ｄの表面によって塞がれることなく、その上面の孔より容易に空気が抜け、洗滌槽２内に供給される濯ぎ水は、その水位上昇と共に洗滌液カセット容器２９ａ底面の外装の孔から容易に内部に流入される。よって、消毒液カセット容器２９ｂも、洗滌液カセット容器２９ａと同様に、その上面の孔より容易に空気が抜け、洗滌槽２内に供給される濯ぎ水の水位の上昇と共に、その内部は水道水の濯ぎ水で満たされる。
【００８５】
濯ぎ水が所定の水位になったら、内視鏡洗滌消毒用ポンプ１２と流液洗滌消毒用ポンプ３２が始動し、ステップＳ２の濯ぎ工程と同じように、濯ぎ水が内視鏡洗滌消毒装置７０内に設けられた各管路、内視鏡１の各管路、消毒液カセット容器２９ｂの内部及び洗滌槽２を循環する。その結果、内視鏡１の各管路内と外表面及び洗滌液カセット容器２９ａの内部は濯がれる。
【００８６】
所定の濯ぎ工程時間経過後に排水弁２６が開かれ、排水ポンプ２７が始動することにより洗滌槽２内の濯ぎ水が外部に排出される。さらに、この間においても流液洗滌消毒用ポンプ３２と内視鏡洗滌消毒用ポンプ１２も同時に連続して作動され、内視鏡１の各管路及び内視鏡洗滌消毒装置７０内の管路等に残留している濯ぎ水も排出される。
【００８７】
また、チャンネルブロック１５の内部は、圧力センサ２４によって、随時モニタリングされている。よって、内視鏡１の各管路を通る濯ぎ水も所定の圧力が保持されている。
【００８８】
まず、洗滌後のステップＳ２の濯ぎ工程と同様にして、内視鏡１の外部の表面及び各管路が濯がれる。このステップＳ２の濯ぎ工程の終了後、濯ぎ水を入れ替え、さらに濯ぎ工程を２回行う。これは、ステップＳ５の消毒工程後の濯ぎ工程は、消毒液の内視鏡１への残留が問題のないレベルにするように入念に行う為に、計３回の濯ぎ工程が行われる。これら３回の濯ぎ工程が終了後に、ステップＳ６の除水工程が行われ、内視鏡の洗滌及び消毒が一通り行われたことになる。
【００８９】
最後に、第１の実施の形態によるステップＳ６の除水工程について説明する。  
除水工程は、上述したステップＳ３の除水工程と同様であるので、ステップＳ５の消毒工程後の濯ぎ工程であるステップＳ６の除水工程における弁、ポンプなどの動作の説明は省略する。
【００９０】
このステップＳ６の除水工程が終了後、制御装置により制御される各種弁などは、所定の状態に制御され停止される。
【００９１】
以上のようにして、本実施の形態の内視鏡洗滌消毒装置７０における内視鏡１のステップＳ１の洗滌工程、ステップＳ２の洗滌工程後の濯ぎ工程、ステップＳ３の除水工程、ステップＳ４の消毒工程、ステップＳ５の消毒工程後の濯ぎ工程及びステップＳ６の除水工程が実施される。
【００９２】
以上のことから、本実施の形態によれば、本発明の内視鏡洗滌消毒装置７０は、洗浄液又は消毒液が洗浄工程時又は消毒工程時において、洗滌実用液又は消毒実用液が自動に生成される。また、洗滌実用液又は消毒実用液の濃度が水位検知センサ３によって、洗滌槽２に供給される希釈水の調整を行うため、適正な濃度で内視鏡１は、洗浄又は消毒を行われる。さらに、洗滌槽２の内部に設置される内視鏡１は、洗浄液又は消毒液に直接触れることが無いため、内視鏡１の耐薬品性の面から、その内視鏡１に悪い影響を与えることがない。
【００９３】
よって、内視鏡の洗滌又は消毒を行う際、作業者は、洗滌液又は消毒液の飛沫を浴びる等の虞がなく洗滌等のための容器を容易にセットでき、内視鏡１の洗滌又は消毒の確実に行える内視鏡洗滌消毒装置７０を提供することができる。
【００９４】
なお、本実施の形態による針部３１と溝部２８ｂ、２８ｃ、２８ｄ、２８ｅとの水密の保持に使用されるＯリング３１ｂは、それに限らず、同等な水密が保てる部材、例えばＹパッキン等でも良い。
【００９５】
さらに、洗滌液カセット容器２９ａと消毒液カセット容器２９ｂを一体化する固定手段は、バンド２９ｃに限ることなくこれらの容器を一体に固定してカセット容器２９を形成するための固定手段、例えばボルト及びナットを利用して一体化する等しても良い。
【００９６】
（第２の実施の形態）
次に、第２の実施の形態について説明する。第２の実施の形態に係る内視鏡洗滌消毒装置は、洗滌槽２の底面に設けられた２段カセット容器収納機構を利用する。なお、第２の実施の形態において、第１の実施の形態と同じ構成要素については、同一の符号を用いて説明し、説明は省略し、第２の実施の形態は、第１の実施の形態と異なる事項を主に説明する。
【００９７】
図６は、内視鏡洗滌消毒装置７０の洗滌槽２の底面に設けられる２段カセット容器収納機構５０を説明するための図である。  
２段カセット容器収納機構５０は、洗滌槽２の底面と一体に、あるいは別体として固定して設けられた筒状構造物４１の内周面に設けられたネジ溝と螺合する２段カセット容器４０と、洗滌槽２の底面より下側に設けられたカセット容器破壊手段とにより構成されている。
【００９８】
２段カセット容器４０は、図７に示すように内部が隔壁により上下２層に分かれた中空の２つの室を有する。この２段カセット容器４０の中空の２つの室のうち、上部の室は、消毒液が貯留される消毒液貯留部４０ａであり下部の室は、洗剤液が貯溜される洗滌液貯留部４０ｂである。また、２段カセット容器４０の外周面の所定の位置には、上述した筒状構造物４１の端面に当接するフランジ４０ｃが設けられ、そのフランジ４０ｃより下側の外周面には、ねじ溝（以下、容器ねじ溝という）４０ｄとを有する。
【００９９】
筒状構造物４１は、図８に示すように２段カセット容器４０をねじ込む開口部と、その少なくとも４つ以上の切り欠き４１ａを有する筒状構造部肉部と、内周面に設けられ、２段カセット容器４０の容器ねじ溝４０ｄと螺合するネジ溝４１ｂとを有する。
【０１００】
筒状構造物４１の切り欠き４１ａは、開口部から洗浄槽２の底面に向かって、筒状構造物４１の軸方向に形成されている。また、筒状構造物４１が設けられる洗滌槽２の底面には、孔部５１が設けられている。
【０１０１】
カセット容器破壊手段は、洗滌槽２の底面に対して直交する方向に延出する第１の軸棒３５と、軸棒３５の軸方向に直交する方向に延出するように、第１の軸棒３５の下部に設けられた第２の軸棒３９と、これら第１の軸棒３５と第２の軸棒３９を、洗滌槽２の底面に向かって上下に摺動させるための駆動手段と、駆動手段に供給するセンサ信号を出力する光センサユニット４６とにより構成されている。
【０１０２】
第１の軸棒３５は、筒状構造物４１が設けられる洗滌槽２の底面の孔部５１を通るように設けられている。この第１の軸棒３５は、先端には針先端部３６と、針先端部３６の、軸棒３５のすぐ下部には第１の軸棒３５の軸方向に鉛直方向に貫く貫通孔３７とが設けられ、その貫通孔３７と連通し、かつ第２の軸棒３９を貫く管路（以下、第２の管路という）４３に連通する管路（以下、第１の管路という）４２を内部に有する。
【０１０３】
また、第１の軸棒３５の外周面には、軸方向に沿って、等間隔のギヤ溝３８が形成されている。  
さらに、その第１の軸棒３５の針先端部３６とは反対側の下部には、図９に示すように第１の軸棒３５の軸方向に沿って、所定の間隔をもって光透過性の２つの円柱部材３５ａ、３５ｂが設けられている。これらの円柱部材３５ａ，３５ｂは、第１の軸棒３５が、洗滌槽２の底面に対して近づいたり離れたりするように動く範囲において、所定の間隔をもって設けられている。
【０１０４】
第２の軸棒３９は、上述したように、内部に第２の管路４３を有し、第１の軸棒３５の第１の管路４２と連通される。また、第２の軸棒３９の、第１の軸棒３５と接続される端部とは反対側の端部３９ａは、開口され、チューブ４３ａと接続されている。端部３９ａの開口は、第２の管路４２と連通している。このチューブ４３ａの他端は第１の実施の形態に記載されるのチャンネルブロック１５に電磁弁を介して連通している。
【０１０５】
筒状構造物４１が設けられている洗滌槽２の孔部５１の内周面には、第１の軸棒３５の外周面との水密を保つため、複数の、２つのＯリング４７が設けられている。
【０１０６】
次に、第１の軸棒３５を孔部５１内で摺動させる駆動手段７５について説明する。  
駆動手段７５は、第１の軸棒３５に形成されたギヤ溝３８と噛み合う形で設けられる歯車４４と、この歯車４４を図６において時計方向及び半時計方向に回転する制御モータ４５と、第１の軸棒３５の下部に設けられる円柱部材３５ａ、３５ｂの近傍であって、円柱部材３５ａを挟設するように設けられた光センサユニット４６と、光センサユニット４６からの検出信号が供給され、制御モータ４５に駆動信号を供給する制御装置８０とにより構成される。
【０１０７】
光センサユニット４６は、発光部４６ａ及び受光部４６ｂを有する。この光センサユニットは、光透過性の円柱部材３５ａ、３５ｂを通して、発光部４６ａからの光が受光部４６ｂに受光されたか否かを検知し、その検知信号を制御装置８０に供給する。
【０１０８】
また、光センサユニット４６からの検知信号を制御装置８０にフィードバックすることにより、制御モータ４５の駆動は制御されている。
【０１０９】
次に本実施の形態の内視鏡洗滌消毒装置７０の動作について説明する。  
作業者は、２段カセット容器４０を洗浄槽２の底面にある筒状構造物４１にねじ込む。２段カセット容器４０の外周部の所定の位置にフランジ４０ｃが設けられている為、この２段カセット容器４０は、所定の螺合量において、フランジ４０ｃが筒状構造物４１の上部の開口端に衝突して、それ以上ねじ込まれない。すなわち、作業者は、２段カセット容器４０を所定の螺合量以上のねじ込みは行えず、図６のように２段カセット容器４０は、洗浄槽２の底面に対して所定の距離に設置される。
【０１１０】
次に、第１の実施の形態と同様にして、洗滌及び消毒対象物の内視鏡１は、洗滌槽２に設置され、２つの内視鏡管路洗滌消毒用チューブ１８の夫々の開口端を内視鏡１の送気送水管路等に、他端を２つの洗滌消毒チューブ接続口１６に接続し、装置トップカバーが閉られる。次に、作業者は、操作パネルの操作ボタンを押すことによって、内視鏡洗滌消毒装置７０の動作が開始される。ここでも、制御装置により制御される弁などは、所定の状態で停止している。
【０１１１】
また、本実施の形態の内視鏡洗滌消毒装置７０は、第１の実施の形態と同様に図５に示す所定の順序で、各工程が実行される。
【０１１２】
まず、本実施の形態におけるステップＳ１である洗滌工程について説明する。  
初めに、制御装置からの閉信号が供給され、排水弁２６は、その内部の弁を閉じる。制御モータ４５は、制御装置の駆動信号を供給されて始動し、歯車４４を回転させ第１の軸棒３５は、２段カセット容器４０に向かって近づけるように移動していく。そして、第１の軸棒３５の針先端部３６が２段カセット容器４０の底面の外装を貫き、洗滌液の入った洗滌液貯留部４０ｂ内に挿入される。
【０１１３】
第１の軸棒３５の軸方向から見たときの針先端部３６の直径は、第１の軸棒３５の直径よりも大きいので、第１の軸棒３５の針先端部３６により貫かれた２段カセット容器４０の底面の外装の孔形状は、その針先端部３６の形状により図１０のように第１の軸棒３５が刺さったままでも洗滌液が容易に流れ落ちるように形成される。ここで、流れ落ちる洗滌液は、洗滌槽２底面を伝って循環液吸引口１１に流れ込むため、内視鏡１直接に触れることはない。
【０１１４】
制御モータ４５によって駆動される歯車４４は、第１の軸棒３５を垂直に貫く貫通孔３７が洗滌液の入った洗滌液貯留部４０ｂに入り込むまで第１の軸棒３５を上昇させ、その後その上昇を停止するように制御される。
【０１１５】
具体的に説明すれば、歯車４４の回動に伴って、第１の軸棒３５は、洗滌槽２の底面に向かって近づいて行き、第１の軸棒３５の基端に設けられる光透過性の第１の円柱部材３５ａは、第１の軸棒３５の上昇と共に光センサユニット４６の検知位置に達する。その検知位置に達すると、光センサユニット４６の受光部４６ｂは、第１の円柱部材３５ａを透過した発光部４６ａからの光を検知する。次に、光センサユニット４６は、検知信号を制御装置８０に供給するので、その検知信号が供給された制御装置は、制御信号を制御モータ４５に供給し、その制御モータ４５の作動は停止される。
【０１１６】
第１の実施の形態と同様に、洗浄槽２に希釈の水である水道水が流入され、流液洗滌消毒用ポンプ３２と内視鏡洗滌消毒用ポンプ１２が作動することで水道水が内視鏡洗滌消毒装置７０内において循環される。
【０１１７】
その際、チャンネルブロック１５に連通している第２の軸棒に接続されたチューブ４３ａから、上記のチャンネルブロック１５に接続された電磁弁の開放に応じて水道水が注がれる。よって、水道水が第２の軸棒３９の第２の管路４３内を通り、第１の軸棒３５の第１の管路４２の内部に流入される。さらに、第１の軸棒３５の第１の管路４２に流入された水道水は、貫通孔３７を通って２段カセット容器４０の洗滌液貯留部４０ｂ内に放出される。チューブ４３ａから水道水を送り込むことによって、２段カセット容器４０内に洗滌液を残留させないための残留回避手段が構成される。
【０１１８】
従って、洗滌液が入った洗滌液貯留部４０ｂの内部に水道水と洗滌液が混合される。この水道水と洗滌液の混合液は、２段カセット容器４０の底面に開けられた孔部５１から筒状構造物４１の切り欠き４１ａを通って洗滌槽２の底面に流れ落ちる。よって、筒状構造物４１の内部には、水道水と洗滌液の混合液が溜まることはない。さらに、筒状構造物４１が設けられる洗滌槽２の孔部５１の内周面には、２つのＯリング４７が設けられていて、第１の軸棒３５の外周面は、常に水密が保たれている。
【０１１９】
以上のことから、洗浄槽２の内部は、水道水が水流を生じながら満たされているので、洗滌液が攪拌され洗滌実用液が生成される。また、このステップＳ１の洗滌工程中において、チャンネルブロック１５とチェンネルブロック１５に接続された電磁弁は、開放状態で固定されている。よって、洗滌実用液は、２段カセット容器４０の洗滌液貯留部４０ｂ内に洗滌工程中も循環される。
【０１２０】
その後、本実施の形態のステップＳ１である洗滌工程は、第１の実施の形態と同様に内視鏡１の洗滌が実施される。
【０１２１】
次に、本実施の形態におけるステップＳ２である濯ぎ工程について説明する。  
ステップＳ１の洗浄工程が終了すると、第１の実施の形態と同様に、洗滌槽２の内部、内視鏡１の管路の内部及び内視鏡洗滌消毒装置７０の各配管の内部に残留している洗浄実用液も排出する。また、２段カセット容器４０の洗滌液貯留部４０ｂの洗滌実用液は、チャンネルブロック１５と連通しているチューブ４３ａから第２の軸棒３９の第２の管路４３と、第１の軸棒３５の第１の管路４２とを通って、内視鏡洗滌消毒用ポンプ１２の作動により押し出されるように排出される。
【０１２２】
第１の実施の形態と同様に洗浄槽２の内部に水道水が流入され、内視鏡洗滌消毒用ポンプ１２と流液洗滌消毒用ポンプ３２の作動により、内視鏡１の内部の各管路、内視鏡１の外部の表面、内視鏡洗滌消毒装置７０の洗浄槽２及び内視鏡洗滌消毒装置７０の内部の各管路が濯がれる。
【０１２３】
また、チャンネルブロック１５と連通しているチューブ４３ａからも濯ぎ水が流入されるため、２段カセット容器４０の洗滌液貯留部４０ｂにも濯ぎ水が流入され、その内部は濯がれる。
【０１２４】
その後、上述の洗滌実用液の排出の場合と同様に、洗滌槽２の内部、内視鏡１の管路の内部及び内視鏡洗滌消毒装置７０の各配管の内部及び２段カセット容器４０の洗滌液貯留部４０ｂ内に残留している濯ぎ水は排出される。
【０１２５】
次に、本実施の形態におけるステップＳ３である除水工程について説明する。  
このステップＳ３における除水工程も第１の実施の形態の除水工程と同様に内視鏡洗滌消毒装置７０の動作が行われる。
【０１２６】
また、内視鏡１の各管路及び内視鏡洗滌消毒装置７０の各管路の除水と同時に、チャンネルブロック１５と連通するチューブ４３ａ、第２の軸棒３９の第２の管路４３、及び第１の軸棒３５の第１の管路４２にコンプレッサ２０からの圧縮空気が送られ、洗滌液貯留部４０ｂの除水も行われる。この濯ぎ工程が終了するまでは、排水弁２６は開放され、排水ポンプ２７が連続に作動しているので、洗浄槽２の内部に放出された濯ぎ水は外部に排出される。
【０１２７】
次に、本実施の形態におけるステップＳ４である消毒工程について説明する。  
まず、制御装置からの閉信号が供給され、排水弁２６は、その内部の弁を閉じる。制御モータ４５は、制御装置８０から駆動信号が供給され始動し、歯車４４を回転させ第１の軸棒３５を、２段カセット容器４０の消毒液貯留部４０ａ内挿入するように、さらに洗滌槽２の底面側に向かって移動、すなわち上昇させる。
【０１２８】
その結果、第１の軸棒３５の針先端部３６は、消毒液貯留部４０ａと洗滌液貯留部４０ｂとの間の隔壁を貫き、消毒液の入った消毒液貯留部４０ａ内に挿入される。
【０１２９】
第１の軸棒３５の針先端部３６により貫通された隔壁の消毒液貯留部４０ａ側の表面の孔形状は、図１０に示すように第１の軸棒３５の直径よりも大きくなるので、ステップＳ１の洗滌工程と同様に、第１の軸棒３５が隔壁を貫通したままでも消毒液が容易に流れ落ちる。また、この消毒液は、洗滌槽２底面を伝って循環液吸引口１１に流れ込むため、内視鏡１直接に触れることはない。
【０１３０】
制御モータ４５によって駆動される歯車４４は、第１の軸棒３５を垂直に貫く貫通孔３７が消毒液の入った消毒液貯留部４０ａに入り込むまで第１の軸棒３５を上昇させ、その後その上昇を停止するように制御される。
【０１３１】
具体的に説明すれば、歯車４４の回動に伴って、第１の軸棒３５は、隔壁に向かって近づいて行き、第１の軸棒３５の基端に設けられる光透過性の第２の円柱部材３５ｂは、第１の軸棒３５の上昇と共に光センサユニット４６の検知位置に達する。その検知位置に達すると、光センサユニット４６の受光部４６ｂは、第２の円柱部材３５ｂを透過した発光部４６ａからの光を検知する。次に、その検知信号が供給された制御装置は、制御信号を制御モータ４５に供給し、その制御モータ４５の作動は停止される。
【０１３２】
第１の実施の形態と同様に、さらに、洗滌工程Ｓ１と同様にして、洗浄槽２に希釈の水である水道水が流入され、流液洗滌消毒用ポンプ３２と内視鏡洗滌消毒用ポンプ１２が作動することで水道水が内視鏡洗滌消毒装置７０内において循環される。
【０１３３】
その際、チャンネルブロック１５に連通している第２の軸棒に接続されたチューブ４３ａから、上記のチャンネルブロック１５に接続された電磁弁の開放に応じて水道水が注がれる。よって、水道水が第２の軸棒３９の第２の管路４３内を通り、第１の軸棒３５の第１の管路４２の内部に流入される。さらに、第１の軸棒３５の第１の管路４２に流入された水道水は、貫通孔３７を通って２段カセット容器４０の消毒液貯留部４０ａ内に放出される。チューブ４３ａから水道水を送り込むことによって、２段カセット容器４０内に洗滌液を残留させないための残留回避手段が構成される。
【０１３４】
従って、消毒液が入った消毒液貯留部４０ａの内部に水道水と消毒液が混合される。この水道水と消毒液の混合液は、２段カセット容器４０の洗滌液貯留部４０ｂを通り、その底面に開けられた孔部５１から筒状構造物４１の切り欠き４１ａを通って洗滌槽２の底面に流れ落ちる。よって、筒状構造物４１の内部には、消毒液と水道水の混合液が溜まることはない。
【０１３５】
また、ステップＳ１の洗滌工程と同様に、筒状構造物４１が設けられる洗滌槽２の孔部５１の内周面には、２つのＯリング４７が設けられていて、第１の軸棒３５の外周面は、常に水密が保たれている。
【０１３６】
以上のことから、洗浄槽２の内部は、水道水が水流を生じながら満たされているので、消毒液が攪拌され消毒実用液が生成される。
【０１３７】
こうして、本実施の形態のステップＳ４の消毒工程により、第１の実施の形態と同様に内視鏡１の消毒が実施される。
【０１３８】
次に、本実施の形態によるステップＳ５である消毒工程後の濯ぎ工程は、消毒工程であるステップＳ４の工程終了後、第１の実施の形態と同様に、３回の上述のステップＳ５の濯ぎ工程が行われる。その後、１回のステップＳ６である除水工程が行われる。
【０１３９】
このステップＳ６の除水工程が終了後、制御装置８０により制御される各種弁などは、所定の状態に制御され停止される。また、第１の軸棒３５は、制御装置８０により制御される制御モータ４５の駆動により、歯車４４が回転されることによって初期状態の位置に戻る。
【０１４０】
以上で本実施形態の内視鏡洗滌消毒装置７０による内視鏡１のステップＳ１である洗滌工程、ステップＳ２である洗滌工程後の濯ぎ工程、ステップＳ３である除水工程、ステップＳ４である消毒工程及びステップＳ５である消毒工程後の濯ぎ工程及びステップＳ６である除水工程の説明を終わる。
【０１４１】
よって、内視鏡１の洗滌及び消毒が本実施の形態による内視鏡洗滌消毒装置７０によって一通り行われたことになる。
【０１４２】
以上の結果、第１の実施の形態と同様に、本実施の形態による内視鏡洗滌消毒装置７０を使用することによって、内視鏡の洗滌又は消毒を行う際、作業者は、洗滌液又は消毒液の飛沫を浴びる等の虞がなく洗滌等のための容器をセットでき、内視鏡の洗滌又は消毒の確実に行える内視鏡洗滌消毒装置を提供することができる。
【０１４３】
なお、本実施の形態に使用されるＯリング４７は、２つに限られることなく筒状構造物４１が設けられる洗滌槽２の底面の孔部５１の内周面と摺動する第１の軸棒３５の外周面との水密を保持できる数であれば良い。また、第１の実施の形態と同様に、Ｏリング４７に限られず例えばＹリング等を利用しても良い。
【０１４４】
（付記項１）
洗滌又は消毒をするための槽に洗滌液又は消毒液を供給して内視鏡を洗滌又は消毒する内視鏡洗滌消毒装置において、
前記内視鏡を一回の洗滌処理又は消毒処理に使用する前記洗滌液又は前記消毒液を密閉状態で貯溜するためのカセット容器と、
前記洗滌処理時又は前記消毒処理時に前記カセット容器を載置するためのカセット容器収納機構と、
該カセット容器収納機構に載置された前記カセット容器内部の前記洗滌処理時又は前記消毒処理時に前記洗滌液又は前記消毒液を前記槽内へ流出させるために前記カセット容器の外装を破壊するための外装破壊手段と、
前記外装破壊手段によって流出する前記洗滌液又は前記消毒液を前記カセット容器内に残留させないための残留回避手段と、
前記洗滌処理後又は前記消毒処理後に、前記カセット容器及び前記内視鏡を濯ぐための濯ぎ手段とを具備したことを特徴とする内視鏡洗滌消毒装置。
【０１４５】
（付記項２）
前記カセット容器収納機構は、前記洗滌液を貯溜する前記カセット容器及び前記消毒液を貯溜する前記カセット容器を一体化するために２つの前記カセット容器を固定する固定手段を有し、
前記外装破壊手段は、前記固定手段によって一体化された２つの前記カセット容器の夫々を別々に破壊することを特徴とする付記項１記載の内視鏡洗滌消毒装置。
【０１４６】
（付記項３）
前記カセット容器は、内部を隔壁により分けることによって中空の２つの室を有し、該２つの室内に前記洗滌液及び前記消毒液が夫々貯溜され、
前記外装破壊手段は、前記２つの室を夫々別々に破壊することを特徴とする付記項１記載の内視鏡洗滌消毒装置。
【０１４７】
（付記項４）
前記カセット容器収納機構は、前記カセット容器を載置する載置部を有し、
前記載置部と前記カセット容器の底面との間には少なくとも所定の隙間が設けられていることを特徴とする付記項１から付記項３のいずれかに記載の内視鏡洗滌消毒装置。
【０１４８】
（付記項５）
前記カセット容器は、一つの角が面取りされている容器面取部を有し、
前記カセット容器収納機構は、前記容器面取部の形状に合ったカセット容器収納口を有することを特徴としている付記項１から付記項４のいずれかに記載の内視鏡洗滌消毒装置。
【０１４９】
（付記項６）
前記カセット容器破壊手段は、先端が鋭利な針部を有する軸棒と該軸棒を軸方向に駆動する駆動手段とを具備することを特徴とする付記項１から付記項５記載のいずれかに記載の内視鏡洗滌消毒装置。
【０１５０】
（付記項７）
前記カセット容器破壊手段は、前記軸棒と前記駆動手段との水密を保つための水密保持部を有することを特徴とする付記項６に記載の内視鏡洗滌消毒装置。
【０１５１】
（付記項８）
前記載置部は、前記カセット容器破壊手段によって前記カセット容器の少なくとも一箇所を破壊することにより前記載置部の底面に流出した前記洗滌液又は前記消毒液を前記槽内部に導くための溝部を有することを特徴とする付記項４記載のから付記項７のいずれかに記載の内視鏡洗滌消毒装置。
【０１５２】
（付記項９）
前記溝部は、前記載置部の前記槽に向かって下る方向で傾斜していることを特徴とする付記項８に記載の内視鏡洗滌消毒装置。
【０１５３】
（付記項１０）
前記軸棒は、水を給水する給水管路と連通する内部に水が流通するための管路を有していることを特徴とする付記項６から付記項９のいずれかに記載の内視鏡洗滌消毒装置。
【０１５４】
（付記項１１）
前記カセット容器破壊手段は、
前記第１の軸棒に設けられる光透過部を有し、
該光透過部の近傍に設置される光検知センサの出力信号に基づいて、前記駆動手段が制御されることを特徴とする付記項６から付記項１０のいずれかに記載の内視鏡洗滌消毒装置。
【図面の簡単な説明】
【０１５５】
【図１】本発明の第１の実施の形態に係る内視鏡洗滌消毒装置の概略構成を示している図である。
【図２】本発明の第１の実施の形態に係るカセット容器収納機構を説明するための説明図である。
【図３】本発明の第１の実施の形態に係る洗滌液又は消毒液の入ったカセット容器を説明するための説明図である。
【図４】本発明の第１の実施の形態に係るカセット容器収納機構の夫々の溝部に設けられるカセット容器破壊手段を説明するための説明図である。
【図５】本発明の第１及び第２の実施の形態に係る内視鏡洗滌消毒装置の洗滌工程、消毒工程、除水工程及び濯ぎ工程のフローチャート図である。
【図６】本発明の第２の実施の形態に係る内視鏡洗滌消毒装置の洗滌槽の底面に設けられる２段カセット容器収納機構を説明するための図である。
【図７】本発明の第２の実施の形態に係る２段カセット容器を説明するための説明図である。
【図８】本発明の第２の実施の形態に係る筒状構造物を説明するための説明図である。
【図９】本発明の第２の実施の形態に係る光透過性の２つの円柱部材を説明するための説明図である。
【図１０】本発明の第２の実施の形態に係る第１の軸棒の針先端部が２段カセット容器に貫通する状態を説明するための説明図である。
【符号の説明】
【０１５６】
１・・・内視鏡、２・・・洗浄槽、３・・・水位検知センサ、４・・・蛇口、
５・・・給水用管路、６・・・給水弁、７・・・給水フィルタ、８・・・３方向弁、９・・・ノズル、１０・・・流液洗滌消毒用管路、１１・・・循環液吸引口、１２・・・内視鏡洗滌消毒用ポンプ、１３・・・内視鏡洗滌消毒用管路、
１４・・・循環液エアー逆止弁、１５・・・チェンネルブロック、１６・・・洗滌消毒チューブ接続口、１７・・・循環液用電磁弁、１８・・・内視鏡管路洗滌消毒用チューブ、１９・・・エアー逆止弁、２０・・・コンプレッサ、２１・・・エアー供給管路、２２・・・リリーフ管路、２３・・・リリーフ弁、２４・・・圧力センサ、２５・・・排水口、２６・・・排水弁、２６ａ・・・排水管路、２７・・・排水ポンプ、２８・・・カセット容器収納機構、２８ａ・・・カセット容器載置部、２８Ｂ、２８ｂ、２８ｃ、２８ｄ、２８ｅ・・・溝部、２８ｆ・・・面取部、２９・・・カセット容器、２９ｃ・・・容器面取部、２９ａ・・・洗滌液カセット容器、２９ｂ・・・消毒液カセット容器、２９ｃ・・・バンド、３０、３０Ｂ、３０Ｃ、３０Ｄ、３０Ｅ・・・ソレノイド、３０ａ・・・コイル部、３０ｂ・・・ソレノイド軸、３０ｃ・・・フランジ、３０ｄ・・・バネ、３１・・・針部３１ａ・・・針先端部、３１ｂ・・・Ｏリング、３１ｃ・・・胴体部、３２・・・流液洗滌消毒用ポンプ、３３・・・Ｙ管路、３４・・・開口部、３５・・・第１の軸棒、３５ａ、３５ｂ・・・円柱部材、３６・・・針先端部、３７・・・貫通孔、３８・・・ギヤ溝、３９・・・第２の軸棒、３９ａ・・・端部、４０ｃ・・・フランジ、４０・・・２段カセット容器、４０ａ・・・消毒液貯留部、４０ｂ・・・洗滌液貯留部、４０ｄ・・・容器ねじ溝、４１・・・筒状構造物、４１ａ・・・きり欠き、４１ｂ・・・ネジ溝、４２・・・第１の管路、４３ａ・・・チューブ、４３・・・第２の管路、４４・・・歯車、４５・・・制御モータ、４６・・・光センサユニット、４６ａ・・・発光部、４６ｂ・・・受光部、４７・・・Ｏリング、５０・・・２段カセット容器収納機構、５１・・・孔部、６０・・・容器破壊機構、７０・・・内視鏡洗滌消毒装置、７５・・・駆動手段、８０・・・制御装置、Ｓ１・・・洗滌工程、Ｓ２・・・洗滌工程後の濯ぎ工程、Ｓ３・・・除水工程、Ｓ４・・・消毒工程、Ｓ５・・・消毒工程後の濯ぎ工程及び２回の濯ぎ工程、Ｓ６・・・除水工程
代理人    弁理士    伊  藤    進
【図１】
2005192641.tif 000003
【図２】
2005192641.tif 000004
【図３】
2005192641.tif 000005
【図４】
2005192641.tif 000006
【図５】
2005192641.tif 000007
【図６】
2005192641.tif 000008
【図７】
2005192641.tif 000009
【図８】
2005192641.tif 000010
【図９】
2005192641.tif 000011
【図１０】
2005192641.tif 000012